(57)【要約】【課題】  探索対象がＧＰＳ受信機を備えない場合においても、その存在場所を特定でき、その移動軌跡を把握可能な車載用探索システムを提供する。【解決手段】  車両１１０は、携帯型通信機２９０との直接無線通信により該携帯型通信機２９０固有の識別情報を取得可能に構成され、搭載されたナビゲーション装置８００のＧＰＳ受信機５により現在位置が特定可能となっている。車両１１０は探索要求を受けると、周辺の携帯型通信機２９０から識別情報を受信して車両の現在位置とともに警備センタ５００に送信する。警備センタ５００は、送信されてくる情報の中から探索対象となる携帯型通信機２９０Ａの識別情報を送信した車両の現在位置を特定し、これにより携帯型通信機２９０Ａの存在位置を推定する。【選択図】  図１
2008090685.tif 000002
【特許請求の範囲】
【請求項１】
車両に搭載されるとともに該車両外の携帯型通信機と直接無線通信可能に構成され、前記携帯型通信機から該携帯型通信機を一義的に特定するための識別情報を、該携帯型通信機との直接無線通信により取得する車両側識別情報無線取得手段と、
前記車両に搭載されるとともに、前記車両の現在位置を検出する車両現在位置検出手段と、
前記車両側識別情報無線取得手段による前記携帯型通信機の前記識別情報の取得状態と、検出された前記自車両の現在位置情報とに基づいて、前記携帯型通信機の推定位置情報を作成する推定位置情報作成手段と、
前記推定位置情報を出力する推定位置情報出力手段と、を備えることを特徴とする車載用探索システム。
【請求項２】
前記車両側識別情報無線取得手段は、前記識別情報の取得要求を外部から無線受信することにより前記識別情報の取得を開始するものである請求項１記載の車載用探索システム。
【請求項３】
前記推定位置情報作成手段は、車両側識別情報無線取得手段は、前記車両側識別情報無線取得手段が前記携帯型通信機の前記識別情報の取得に成功した場合に、前記車両の現在位置を中心とする予め定められた半径の無線到達エリア内に前記携帯型通信機の推定位置を特定するものである請求項１又は請求項２に記載の車載用探索システム。
【請求項４】
前記推定位置情報作成手段は、前記車両外に設けられ、該車両の前記現在位置と、前記携帯型通信機の前記識別情報の取得情報とを該車両から無線受信し、その無線受信した情報に基づいて前記推定位置情報を作成するものである請求項１ないし請求項３のいずれか１項に記載の車載用探索システム。
【請求項５】
該車両の前記現在位置と、前記携帯型通信機の前記識別情報の取得情報とを複数の車両から受信し、それら複数の車両による受信情報に基づいて前記推定位置情報を作成するものである請求項４記載の車載用探索システム。
【請求項６】
請求項３に記載の要件を備え、前記推定位置情報作成手段は、複数の前記車両の各現在位置を中心とする予め定められた半径の無線到達エリアの重なり領域に前記携帯型通信機の推定位置を特定するものである請求項５に記載の車載用探索システム。
【請求項７】
前記車両側識別情報無線取得手段は、前記携帯型通信機をポーリングするためのポーリング信号を無線出力するポーリング信号出力手段と、該ポーリング信号の受信に基づいて前記携帯型通信機から送信される、前記識別情報が反映されたポーリング応答信号を受信するポーリング応答信号受信手段とを備える請求項１ないし請求項６のいずれか１項に記載の車載用探索システム。
【請求項８】
前記車両は、前記携帯型通信機から送信される前記車両固有のＩＤコードを前記識別情報として受信し、該ＩＤコードと自身に記憶されたマスターコードとを照合して、その照合結果に基づいて予め定められた車両動作を許可するスマートキーシステムを備えたものである請求項７記載の車載用探索システム。
【請求項９】
前記車両現在位置検出手段は、前記車両に搭載されるカーナビゲーション装置に組み込まれたＧＰＳ受信機の受信情報に基づいて前記現在位置を検出するものである請求項１ないし請求項８のいずれか１項に記載の車載用探索システム。
【発明の詳細な説明】
【技術分野】
【０００１】
本発明は、車両による車載用探索システムに関する。
【背景技術】
【０００２】
【特許文献１】特開平０５-２０５１７４号公報
【０００３】
近年、誘拐事件等による行方不明者が増加しており、これを防止したいという要望がある。このため、例えば、特許文献１のように、ＧＰＳ衛星からの電波信号により探索対象の位置を特定し、追跡調査をする技術について開示がある。
【発明の開示】
【発明が解決しようとする課題】
【０００４】
ところが、この技術は、探索対象がＧＰＳ受信機を有していなければ当該探索対象の現在位置を特定できないという課題がある。
【０００５】
本発明は、誘拐や盗難等の犯罪による行方不明対象を探索対象とし、当該探索対象がＧＰＳ受信機を備えない場合においても、その存在場所を特定でき、その移動軌跡を把握可能な車載用探索システムを提供することにある。
【課題を解決するための手段及び発明の効果】
【０００６】
上記課題を解決するために、本発明の車載用探索システムは、
車両に搭載されるとともに該車両外の携帯型通信機と直接無線通信可能に構成され、携帯型通信機から該携帯型通信機を一義的に特定するための識別情報を、該携帯型通信機との直接無線通信により取得する車両側識別情報無線取得手段と、
車両に搭載されるとともに、車両の現在位置を検出する車両現在位置検出手段と、
車両側識別情報無線取得手段による携帯型通信機の識別情報の取得状態と、検出された自車両の現在位置情報とに基づいて、携帯型通信機の推定位置情報を作成する推定位置情報作成手段と、
推定位置情報を出力する推定位置情報出力手段と、を備えることを特徴とする。
【０００７】
上記本発明の構成によると、携帯型通信機を、探索対象体である人（例えば、行方不明者等）や物（例えば、落し物・忘れ物等）に付随させておくようにしておけば、探索対象体の探索時に、車両に、携帯型通信機の識別情報と自身の位置情報とを取得させることで、どの識別情報を有する携帯型通信機がどのあたりに存在するかを把握できる。これにより、取得した識別情報が探索対象の携帯型通信機のものであった場合には、その存在推定位置を推定でき、ひいてはその携帯型通信機の存在推定位置付近に探索対象体が存在する可能性が高いことも推定できる。
【０００８】
上記構成における車両側識別情報無線取得手段は、識別情報の取得要求を外部から無線受信することにより識別情報の取得を開始するものとできる。これにより、外部からの無線通信による要請に基づいて車両が自動的に探索処理を開始する。
【０００９】
上記構成における推定位置情報作成手段は、車両側識別情報無線取得手段は、車両側識別情報無線取得手段が携帯型通信機の識別情報の取得に成功した場合に、車両の現在位置を中心とする予め定められた半径の無線到達エリア内に携帯型通信機の推定位置を特定するものとできる。この構成によると、探索対象となる携帯型通信機の識別情報が取得された場合には、その携帯型通信機の存在位置を、その識別情報を取得した車両の直接無線通信可能範囲（無線到達エリア）に絞ることができる。
【００１０】
上記構成における推定位置情報作成手段は、車両外に設けられ、該車両の現在位置と、携帯型通信機の識別情報の取得情報とを該車両から無線受信し、その無線受信した情報に基づいて推定位置情報を作成するものとできる。この構成によると、推定位置情報の作成は、車両外にて実行されるので、車両の処理負担を軽減できる。
【００１１】
また、この場合、車両の現在位置と、携帯型通信機の識別情報の取得情報とを複数の車両から受信し、それら複数の車両による受信情報に基づいて推定位置情報を作成することができる。この構成によると、複数の車両から、それぞれが取得した携帯型通信機の識別情報を集めることができるので、その中から探索対象となる携帯型通信機の識別情報を抽出し、その識別情報が送られてきた先の車両の現在位置情報を特定することで、探索対象となる携帯型通信機の推定位置情報を得ることができる。これにより、広範囲の探索が可能となる。また、識別情報の取得要求を予め定められた時間間隔おきに行って、その都度、推定位置情報を取得すると、車両はその時間の間に移動するので、探索対象となる携帯型通信機の移動経路も明らかにできる。
【００１２】
また、複数の車両で探索を行う場合で、かつ携帯型通信機の識別情報の取得に成功した場合に、車両の無線到達エリア内を携帯型通信機の推定位置と特定する場合において、推定位置情報作成手段は、複数の車両の各現在位置を中心とする予め定められた半径の無線到達エリアの重なり領域に携帯型通信機の推定位置を特定することができる。これにより、携帯型通信機の存在するエリアを一層絞り込むことができる。
【００１３】
車両側識別情報無線取得手段は、携帯型通信機をポーリングするためのポーリング信号を無線出力するポーリング信号出力手段と、該ポーリング信号の受信に基づいて携帯型通信機が送信する、該携帯型通信機の識別情報が反映されたポーリング応答信号を受信するポーリング応答信号受信手段とを備えて構成できる。この構成によると、車両は、ポーリング信号の送信とその応答信号の受信により、周辺の携帯型通信機から容易に識別情報を取得できる。
【００１４】
また、本発明において、車両は、携帯型通信機から送信される車両固有のＩＤコードを識別情報として受信し、該ＩＤコードと自身に記憶されたマスターコードとを照合して、その照合結果に基づいて予め定められた車両動作を許可するスマートキーシステムを備えたものとできる。これにより、スマートキーシステムにより使用されるポーリング信号出力手段及びポーリング応答信号受信手段をそのまま利用することができるから、ソフトウェアを新たに組み込むだけで、上記探索処理を容易に実現できる。
【００１５】
また、車両現在位置検出手段は、車両に搭載されるカーナビゲーション装置に組み込まれたＧＰＳ受信機の受信情報に基づいて現在位置を検出するものとできる。車両に搭載されたカーナビゲーション装置のＧＰＳ機能をそのまま利用することができるので、新たの機能追加を省略できる。
【発明を実施するための最良の形態】
【００１６】
以下、本発明の車載用探索システムを、図面を参照しつつ説明する。図１は、車載用探索システム１００を概略的に示すブロック図である。車載用探索システム１００は、車載用ナビゲーション装置（以下、ナビゲーション装置という）８００と、周知のスマートキーシステムの制御を司るＥＣＵ２００とが、車内ＬＡＮ２７を介して接続されており、さらに、ＥＣＵ２００と携帯型通信機２９０とが直接無線通信可能に構成され、ナビゲーション装置１００と警備センタ（外部装置）とが無線通信可能に構成されている。
【００１７】
ナビゲーション装置８００は、位置検出器１，地図データ入力器６，操作スイッチ群７，リモートコントロール（以下リモコンと称する）センサ１１，音声案内などを行う音声合成回路２４，スピーカ１５，メモリ９，表示器１０，送受信機１３，ハードディスク装置（ＨＤＤ）２１，ＬＡＮ(Local  Area  Network)Ｉ／Ｆ（インターフェース）２６，これらの接続された制御回路８，リモコン端末１２等を備えて構成され、車両（以下、車両とは、ナビゲーション装置８００を搭載の車両のことを意味する）に搭載されるものである。
【００１８】
位置検出器１は、周知の地磁気センサ２，車両の回転角速度を検出するジャイロスコープ３，車両の走行距離を検出する距離センサ４，および衛星からの電波に基づいて車両の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ例えば車速センサ２３等を用いてもよい。なお、位置検出器１が本発明の車両現在位置検出手段に相当する。
【００１９】
操作スイッチ群７は、例えば表示器１０と一体になったタッチパネル２２もしくはメカニカルなスイッチが用いられる。タッチパネル２２は、表示器１０の画面上にガラス基盤と透明なフィルムにスペーサと呼ばれる隙間を介してＸ軸方向、Ｙ軸方向に電気回路が配線され、フィルム上をユーザーがタッチすると、押された部分の配線がショートして電圧値が変わるため、これを２次元座標値（Ｘ，Ｙ）として検出する、いわゆる抵抗膜方式が広く用いられる。その他に、周知のいわゆる静電容量方式を用いてもよい。メカニカルスイッチの他に、マウスやカーソル等のポインティングデバイスを用いてもよい。また、表示器１０とその周辺を覆い意匠枠となるエスカッションに、操作スイッチ群７のうちのメカニカルスイッチを配置してもよい。
【００２０】
また、マイク３１および音声認識ユニット３０を用いて種々の指示を入力することも可能である。これは、マイク３１から入力された音声信号を、音声認識ユニット３０において周知の隠れマルコフモデル等の音声認識技術により処理を行い、その結果に応じた操作コマンドに変換するものである。これら操作スイッチ群７，リモコン端末１２，タッチパネル２２，およびマイク３１により、種々の指示を入力することが可能である。
【００２１】
制御回路８は、通常のコンピュータとして構成されており、周知のＣＰＵ８１，ＲＯＭ８２，ＲＡＭ８３，入出力回路であるＩ／Ｏ８４，Ａ／Ｄ変換部８６，描画部８７，時計ＩＣ８８，およびこれらの構成を接続するバスライン８５が備えられている。ＣＰＵ８１は、ＨＤＤ２１に記憶されたナビプログラム２１ｐおよびデータにより制御を行う。また、ＨＤＤ２１へのデータの読み書きの制御はＣＰＵ８１によって行なわれる。また、ＣＰＵ８１からＨＤＤ２１に対してデータの読み書きの制御ができなくなった場合のために、ＲＯＭ８２にナビゲーション装置８００として必要最低限の動作を行うためのプログラムを記憶しておいてもよい。
【００２２】
Ａ／Ｄ変換部８６は、周知のＡ／Ｄ（アナログ／デジタル）変換回路を含み、例えば位置検出器１などから制御回路８に入力されるアナログデータをＣＰＵ８１で演算可能なデジタルデータに変換するものである。
【００２３】
描画部８７は、ＨＤＤ２１等に記憶された地図データ２１ｍ（後述），表示用のデータや表示色のデータから表示器１０に表示させるための表示画面データを生成する。
【００２４】
時計ＩＣ８８は、リアルタイムクロックＩＣとも呼ばれ、ＣＰＵ８１からの要求に応じて時計・カレンダーのデータを送出あるいは設定するものである。ＣＰＵ８１は時計ＩＣ８８から日時情報を取得する。また、ＧＰＳ受信機５で受信したＧＰＳ信号に含まれる日時情報を用いてもよい。また、ＣＰＵ８１に含まれるリアルタイムカウンタを基にして日時情報を生成してもよい。取得された日時情報は、例えば走行履歴管理に用いられる。
【００２５】
ＨＤＤ２１には、ナビプログラム２１ｐの他に位置検出の精度向上のためのいわゆるマップマッチング用データ、道路の接続を表した道路データを含む地図データベースである地図データ２１ｍが記憶される。地図データ２１ｍは、表示用となる所定の地図画像情報を記憶するとともに、リンク情報やノード情報等を含む道路網情報を記憶する。リンク情報は、各道路を構成する所定の区間情報であって、位置座標、距離、所要時間、道幅、車線数、制限速度等から構成される。また、ノード情報は、交差点（分岐路）等を規定する情報であって、位置座標、右左折車線数、接続先道路リンク等から構成される。また、リンク間接続情報には、通行の可不可を示すデータなどが設定されている。
【００２６】
また、ＨＤＤ２１には経路案内の補助情報や娯楽情報、その他にユーザーが独自にデータを書き込むことができ、ユーザーデータ２１ｕとして記憶される。また、ナビゲーション装置８００の動作に必要なデータや各種情報はデータベース２１ｄとしても記憶される。
【００２７】
ナビプログラム２１ｐ，地図データ２１ｍ，ユーザーデータ２１ｕ，およびデータベース２１ｄは、地図データ入力器６を介して記憶媒体２０からそのデータの追加・更新を行うことが可能である。記憶媒体２０は、そのデータ量からＣＤ−ＲＯＭやＤＶＤを用いるのが一般的であるが、例えばメモリカード等の他の媒体を用いてもよい。また、外部ネットワークを介してデータをダウンロードする構成を用いてもよい。この
【００２８】
メモリ９は、ＥＥＰＲＯＭ（Electrically  Erasable  ＆  Programmable  Read  Only  Memory：電気的消去・プログラム可能・読出し専用メモリ）やフラッシュメモリ等の書き換え可能なデバイスによって構成され、ナビゲーション装置８００の動作に必要な情報およびデータが記憶されている。なお、メモリ９は、ナビゲーション装置８００がオフ状態になっても記憶内容が保持されるようになっている。また、メモリ９の代わりにナビゲーション装置８００の動作に必要な情報およびデータをＨＤＤ２１に記憶してもよい。さらに、ナビゲーション装置８００の動作に必要な情報およびデータをメモリ９とＨＤＤ２１に分けて記憶してもよい。
【００２９】
表示器１０は、周知のカラー液晶表示器で構成され、ドット・マトリックスＬＣＤ（Liquid  Crystal  Display）およびＬＣＤ表示制御を行うための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８（描画部８７）から送られる表示指令および表示画面データに基づいて表示を行う。また、表示器１０として有機ＥＬ（Electro  Luminescence：電界発光）表示器，プラズマ表示器を用いてもよい。なお、表示器１０は車両のセンターパネル付近に運転者が視認可能なように取り付けられている。
【００３０】
スピーカ１５は、周知の音声合成回路２４に接続され、ナビプログラム２１ｐの指令によってメモリ９あるいはＨＤＤ２１に記憶されるデジタル音声データが音声合成回路２４においてアナログ音声に変換されたものが送出される。なお、音声合成の方法には、音声波形をそのままあるいは符号化して蓄積しておき必要に応じて繋ぎ合わせる録音編集方式、文字入力情報からそれに対応する音声を合成するテキスト合成方式などがある。
【００３１】
ＬＡＮ  Ｉ／Ｆ２６は車内ＬＡＮ２７を介して他の車載機器やセンサとのデータの遣り取りを行うためのインターフェース回路である。また、ＬＡＮ  Ｉ／Ｆ２６を介して車速センサ２３からのデータ取り込み、あるいはＥＴＣ車載器１７との接続を行ってもよい。
【００３２】
送受信機１３は、例えば道路に沿って設けられた送信機（図示せず）から出力される光ビーコン、または電波ビーコンによってＶＩＣＳ（Vehicle  Information  and  Communication  System：道路交通情報通信システム）センタ１４から道路交通情報を受信、あるいはＦＭ多重放送を受信するための装置である。また、送受信機１３を用いてインターネット等の外部ネットワークに接続可能な構成としてもよい。また、ＥＴＣ車載器１７と通信することにより、ＥＴＣ車載器１７が路側器（図示せず）から受信した料金情報などをナビゲーション装置８００に取り込むことができる。ＥＴＣ車載器１７によって外部ネットワークと接続し、ＶＩＣＳセンタ１４等との通信を行う構成をとってもよい。さらに、本実施形態における送受信機１３は、後述する車両外部の警備センタ５００とも無線通信可能に構成されている。
【００３３】
このような構成を持つことにより、ナビゲーション装置８００は、制御回路８のＣＰＵ８１によりナビプログラム２１ｐが起動されると、ユーザーが操作スイッチ群７，タッチパネル２２、リモコン端末１２の操作あるいはマイク３１からの音声入力によって、表示器１０上に表示されるメニュー（図示せず）から目的地経路を表示器１０に表示させるための経路案内処理を選択した場合、次のような処理を実施する。
【００３４】
すなわち、まず、ユーザーは目的地を探索する。目的地の探索方法は、例えば、地図上の任意の地点を指定する方法、目的地の所在する地域から探索する方法，目的地の電話番号から探索する方法，五十音表から目的地の名称を入力して探索する方法，あるいはユーザーがよく利用する施設としてメモリ９に記憶されているものから探索する方法などがある。なお、ナビゲーションプログラム２１ｐが実行されることで、目的地設定手段が機能する。
【００３５】
目的地が設定されると、位置検出器１により車両の現在位置が求められ、該現在位置を出発地として目的地までの最適な案内経路を求める処理が行われる。このような自動的に最適な案内経路を設定する手法は、ダイクストラ法等の手法が知られている。最適な案内経路が設定されると、案内画面表示プログラム２１２ｐが実行されて、表示器１０上に、地図データ２１ｍに基づく道路地図を表示し、その道路地図上に案内経路を重ねて表示する形で、ユーザーに対し経路案内を行う。なお、経路案内は、スピーカ１５により音声でも行われる。また、表示器１０およびスピーカ１５によって、操作時のガイダンスや動作状態に応じたメッセージの報知を行うこともできる。
【００３６】
また、本実施形態におけるナビゲーション装置８００の送受信機１３は、車両外部の警備センタ５００とも無線通信可能に構成されている。警備センタ（外部装置：推定位置情報作成手段）５００は、図３に示すように、忘れ物や行方不明者等が生じ（図３（１））、その忘れ物や行方不明者等の探索対象体Ａの探索依頼があると、その探索依頼を探索受付部（センタ受付）５０１が受け付ける（図３の（２））。探索受付部５０１が探索依頼を受け付ける際には、探索対象体Ａが有するであろう携帯型通信機２９０の識別情報（ＩＤコード）を依頼者側から許可を得て取得しておき、受付完了後、データベース５１０に、依頼者・依頼日・探索対象体・探索エリア等の探索依頼情報及び探索条件に対応付ける形でその識別情報を登録する（図３の（３））。探索実行部（センタ探索）５０２は、データベース５１０に登録されている探索依頼内容からあらかじめ定められた時間間隔にてその識別情報を読み出して（図３の（４））、探索依頼条件により特定されるエリアに向けて探索要求信号（識別情報の取得要求）を無線出力する（図３の（５）及び図４）。
【００３７】
探索要求信号を受けた複数の車両１１０（１１０Ａ，１１０Ｂ，・・・）は、搭載されているナビゲーション装置８００からＥＣＵ２００に、携帯型通信機２９０を探索する後述の探索処理の実行指令が送信され、ＥＣＵ２００はその探索処理を実行する。また、その探索処理の結果はナビゲーション装置８００に送信されて、その探索処理結果を送受信機１３から警備センタ５００に送信する。警備センタ５００は、探索エリアに存在する各車両から送信される探索処理結果に基づいて、探索対象体Ａに付随する携帯型通信機２９０の存在エリアを特定する。
【００３８】
次に、ＥＣＵ２００は、携帯型通信機２９０から送信される車両固有のＩＤコードを識別情報として受信し、該ＩＤコードと自身に記憶されたマスターコードとを照合して、その照合結果に基づいて予め定められた車両動作を許可するシステム、いわゆるスマートキーシステムを実行する電子制御装置である。
【００３９】
ＥＣＵ２００は、ＣＰＵ２０１、ＲＡＭ２０２、不揮発性メモリであるＲＯＭ（例えばＥＥＰＲＯＭ）２０３、入出力部（図中のＩ／Ｏ）２０５がバス２０４により接続されている。入出力部２０５には、アンテナ２８１からの電波出力及び電波受信を制御するアンテナ制御部（ポーリング信号出力手段、ポーリング応答信号受信手段、車両側識別情報無線取得手段）２８０が接続されている。なお、アンテナ２８１は、車外用と車室内用との２種類が設けられている。
【００４０】
また、ＲＯＭ２０３には、周知のスマートエントリー機能を実行するスマートプログラム２０３ａと、探索対象体の探索処理を実行する探索プログラム２０３ｂと、対応する携帯型通信機２９０から送信される識別情報（ＩＤコード）と照合するためのマスター識別情報（マスターＩＤ）２０３ｃが記憶されている。
【００４１】
スマートプログラム２０３ａがＣＰＵ２０１により実行されると、まず、車両の無線キーをなす本実施形態の携帯型通信機２９０をポーリングするためのポーリング信号を、アンテナ制御部２８０がアンテナ２８１を介して予め定められた周期にて無線出力する。携帯型通信機２９０は、アンテナ２８１からのポーリング信号を無線受信すると、これに対する応答信号として、識別情報（ＩＤコード）が反映されたポーリング応答信号を車両側に無線送信するように構成されているので、次はその携帯型通信機２９０からポーリング応答信号を、アンテナ制御部２８０がアンテナ２８１を介して無線受信したか否かを判定する。受信しない場合は本プログラムを終了する。受信した場合には、ポーリング応答信号の識別情報とマスター識別情報２０３ｃとを照合する。照合が一致した場合には、ドアロックの開錠やエンジンの始動等の車両動作を許可する。具体的には、これらの車両動作を許可する動作許可信号を、エンジン始動制御を行うエンジンＥＣＵ３００やドアロック制御を行うドアロックＥＣＵ４００等に、車内ＬＡＮ２７を介して送信することで行う。照合が一致しなければこれらの動作に対し動作許可が与えられない。
【００４２】
なお、本実施形態におけるＥＣＵ２００では、アンテナ２８１からの送信波の帯域が長波長のＬＦ帯（５０ｋＨｚ以上５００ｋＨｚ以下）に設定されている。ユーザーが予め定められた無線通信可能な通信エリア外にいる場合は携帯型通信機２００が探索用電波に反応しない点、さらに、ユーザーが接近したときに、ユーザーが体のどこに携帯型通信機２９０を保持していても探索用電波が回り込んで電波検知できるようにする点に、ＬＦ帯採用の有利があるといえる。
【００４３】
また、ポーリング信号は、車両のアンテナ２８１を中心に予め定められた半径の無線到達エリア１１１内に送信可能とされている。
【００４４】
次に、探索プログラム２０３ｂは、車両側にて、警備センタ５００からの探索要求に基づいて携帯型通信機２９０の探索を実行し、その結果を警備センタ５００に無線送信するものである。探索プログラム２０３ｂは、警備センタ５００の探索実行部５０２から、探索要求信号として、識別情報の取得要求の無線受信をトリガーにして実行される。
【００４５】
具体的には、図２のフローチャートに示すように、まず、Ｓ１にて、識別情報の取得を開始する。即ち、図４に示すように、Ｓ１では、アンテナ制御部２８０により、車外用と車室内用との２種類のアンテナ２８１からポーリング信号を無線出力させる。Ｓ２では、ポーリング信号出力後予め定められた期間の間にポーリング応答信号をアンテナ制御部２８０が受信したか否かを判定する。図４の場合、警備センタ５００から探索要求信号を受信した複数の車両１１０（１１０Ａ〜１１０Ｅ）がそれぞれポーリング信号を出力するが、そのポーリング信号は、車両１１０Ａ，１１０Ｂ，１１０Ｃからのものは探索対象体Ａに対応する携帯型通信機２９０Ａに届くが、車両１１０Ｄ，１１０Ｅからのものは届かない。ポーリング信号が届かなかった車両１１０Ｄ，１１０Ｅでは、この段階で本プログラムを終了する。ポーリング信号が届いた車両１１０Ａ，１１０Ｂ，１１０ＣではＳ３に進む。
【００４６】
Ｓ３では、ＥＣＵ２００からナビゲーション装置８００に対し、位置検出器１による現在位置の位置検出を実行させる。そして、検出した現在位置情報とともに、アンテナ制御部２８０がポーリング応答信号として受信した識別情報を、ナビゲーション装置８００の送受信機１３から警備センタ５００の探索実行部５０２に無線送信して、本プログラムを終了する。なお、あらゆる状況において、識別情報の送信の際には、送信データに暗号化を施した上で行う必要がある。
【００４７】
この探索プログラム２０３ｂによる探索処理は、探索要求信号を受信した全ての車両において実行される。そして、警備センタ５００の探索実行部５０２には、複数の車両１１０（１１０Ａ〜１１０Ｃ）の現在位置と、それら車両がそれぞれ取得した携帯型通信機２９０の識別情報の取得情報とをそれら車両から無線受信しており、その無線受信した情報に基づいて、探索対象となる携帯型通信機２９０Ａの推定位置情報を作成する。
【００４８】
具体的には、上記の探索プログラム２０３ｂの場合、警備センタ５００の探索実行部５０２には、携帯型通信機２９０の識別信号を受信した全ての車両１１０（１１０Ａ〜１１０Ｃ）から、その車両が取得した識別情報とその車両の現在位置情報とが対応付けられた形で収集されるので、探索実行部５０２では、探索要求信号の出力の際にデータベース５１０から読み出した探索依頼情報に対応する識別情報（探索対象となる携帯型通信機２９０Ａの識別情報）を、収集した情報の中から検索する。探索対象となる識別情報が検索されると、その検索された識別情報に対応する車両の現在位置を特定して、特定された現在位置を中心とする予め定められた半径の無線到達エリア１１１（１１１Ａ〜１１１Ｃ）内に、探索対象となる携帯型通信機２９０Ａの推定位置を特定する。
【００４９】
なお、場合によっては、検索された識別情報に対応する現在位置が複数存在する場合がある。例えば、図５に示すように、複数の車両１１０Ａ，１１０Ｂ，１１０Ｃが探索対象Ａに対応する携帯型通信機２９０Ａの識別情報を受信している場合がある。この場合、探索実行部５０２には、車両１１０Ａ，１１０Ｂ，１１０Ｃのそれぞれの現在位置情報が携帯型通信機２９０Ａの識別情報とともに送信されているので、それら複数の車両１１０Ａ，１１０Ｂ，１１０Ｃの各現在位置を中心とする予め定められた半径の無線到達エリア１１１Ａ，１１１Ｂ，１１１Ｃの重なり領域１１１Ｚに携帯型通信機２９０Ａの推定位置を特定する。
【００５０】
特定された携帯型通信機２９０Ａの推定位置は、警備センタ５００において視認可能に出力される。例えば、データベース５１０の予め定められた記憶領域（道路地図データ記憶部）に記憶される道路地図データ上にて、推定位置が特定されるように推定位置データ（推定位置情報）を作成する。そして、警備センタ５００が有する表示装置上に、道路地図データに基づく道路地図を表示するとともに推定位置データに基づく推定位置を重ね表示する（推定位置情報出力手段）。
【００５１】
なお、上記探索処理では、探索要求信号を受信したすべての車両１１０がポーリング電波を出力して、受信した識別情報全てを警備センタ５００に送信し、警備センタ５００側で、探索対象となる携帯型通信機２９０Ａの推定位置を推定しているが、別の方法で行うこともできる。例えば、警備センタ５００から探索要求信号とともに、探索対象となる携帯型通信機の識別情報を車両１１０に送信するようにする。そして、車両側では、探索要求信号の受信に基づいてポーリング電波を送信し、ポーリング応答電波の受信して、受信したポーリング応答電波より取得される識別情報と探索対象となる携帯型通信機の識別情報との照合を行い、照合結果が一致した場合にのみ警備センタ５００に、自身の現在位置を送信するように構成してもよい。
【００５２】
また、上記実施形態においては、スマートキーシステムが使用するポーリング電波を用いた探索処理が実行されており、携帯型通信機は、スマートキーシステムのキーをなす携帯機に相当するものであったが、本発明においては、車両が携帯型通信機から識別情報を直接無線通信により取得可能な構成であればよい。
【００５３】
例えば、車両側からの探索信号（ポーリング電波）の出力を、スマートキーシステムの通信手段を利用することなく、他の通信手段から出力するように構成することもできる。また、携帯型通信機もスマートキーシステムのキーとは別の、一般の人が常に携帯するようなインフラを用いてもよい。例えば、携帯型通信機を家の鍵や腕時計とすることができる。この場合も、これらに対し固有の識別情報を付与して（記憶させて）、車両側からの探索信号を受信した場合に、該識別情報を反映した応答信号を返すような、上記実施形態における携帯型通信機と同様の構成とすることができる。
【００５４】
また、スマートキーシステムの通信手段を利用する場合、特に、スマートキーシステム実行時のポーリング電波出力が低く設定されている場合には、スマートキーシステムにおけるポーリング電波よりも高出力でポーリング電波を出力するようにし、携帯型通信機側でも、その高出力のポーリング電波と同等の到達距離を有する出力で、識別情報が反映された高出力のポーリング応答電波を出力するように構成して行ってもよい。この場合、車両側と携帯型通信機側との双方に、スマートキーシステム実行時に使用される出力と探索実行時に使用される出力を切り替える出力切替手段を設けて構成することができる。
【図面の簡単な説明】
【００５５】
【図１】本発明の車載用探索システムを概略的に示すブロック図。
【図２】車両側が実行する探索処理の流れを説明するフローチャート。
【図３】探索の流れを概念的に説明する図。
【図４】探索対象の推定位置を推定する方法を説明する第一の図。
【図５】探索対象の推定位置を推定する方法を説明する第二の図。
【符号の説明】
【００５６】
１００  車載用探索システム
２００  ＥＣＵ
２０１  ＣＰＵ
２０２  ＲＡＭ
２０３  ＲＯＭ
２８０  アンテナ制御部
２８１  アンテナ（車外用と車室内用）
２９０  携帯型通信機
５００  警備センタ
８００  ナビゲーション装置
２７  車内ＬＡＮ
１３  送受信機
１１０（１１０Ａ〜１１０Ｅ）  車両
１１１（１１１Ａ〜１１１Ｅ）  無線到達エリア
１１１Ｚ  無線到達エリアの重なり領域
Ａ  探索対象体
【図１】
2008090685.tif 000003
【図２】
2008090685.tif 000004
【図３】
2008090685.tif 000005
【図４】
2008090685.tif 000006
【図５】
2008090685.tif 000007